(57)【要約】【課題】音声データに誤り訂正符号を付加して通話を行うデジタル無線通話方式において、移動局が誤りの発生しないエリアで通話を行う場合に、音声の高品質化を図る。【解決手段】移動局と基地局とをデジタル無線チャネルで通話するデジタル無線通話方法において、少なくとも上記移動局は、位置検出手段と、位置情報に対する音声データの誤りの有無を表したデータテーブルと、異なるビットレートの第１と第２の音声コーデック部および上記第１と第２の音声コーデック部を切替える第１の切替スイッチ部とを有し、上記位置検出手段の位置情報と上記データテーブルに基づき上記第１の切替スイッチ部を制御し、上記第１と第２の音声コーデック部のいずれか一方を用いて通話するように構成される。【選択図】図１
2005020666.tif 000002
【特許請求の範囲】
【請求項１】
移動局と基地局とをデジタル無線チャネルで通話するデジタル無線通話方法において、少なくとも上記移動局は、位置検出手段と、位置情報に対する音声データの誤りの有無を表したデータテーブルと、異なるビットレートの第１と第２の音声コーデック部および上記第１と第２の音声コーデック部を切替える第１の切替スイッチ部とを有し、上記位置検出手段の位置情報と上記データテーブルに基づき上記第１の切替スイッチ部を制御し、上記第１と第２の音声コーデック部のいずれか一方を用いて通話することを特徴とするデジタル無線通話方法。
【発明の詳細な説明】
【０００１】
【発明の属する技術分野】
本発明は、デジタル無線通話方法およびデジタル無線通話装置に関し、特に、誤りの発生しないエリアでのデジタル無線通信における音質を改善するデジタル無線通話方法およびデジタル無線通話装置に関するものである。
【０００２】
【従来の技術】
現在、実用化されているデジタル無線通話システムは、図５に示されるように基地局５０１の通信エリア５０２（あるいは通信ゾーンとも言われる）内にある複数の移動局Ｍ１、Ｍ２、・・・Ｍｎ（移動局を総称する場合は、移動局Ｍと称する。）との通信接続サービスが行なわれるように構成されたシステムである。このようなデジタル無線通話システムにおける基地局５０１と移動局Ｍ間、あるいは移動局Ｍ間同志は、無線チャネルで通信が行われる。この無線チャネルは、この無線チャネルを構成するスロットの種類によって制御用物理チャネル（制御チャネルとも呼ばれる。）と通信用物理チャネル（通信チャネルとも呼ばれる。）の２種類で構成される。制御用物理チャネルは、共通使用スロットで構成される無線チャネルであり、例えば、複数の移動局からの接続要求に対してどの通信用物理チャネルのスロットを割当てるか等の制御情報の伝送に使用されるチャネルである。また、通信用物理チャネルは、個別割当てスロットで構成される無線チャネルである。これらの種々のチャネルは、機能チャネルとも呼ばれている。なお、この無線チャネル構成は、標準規格ＡＲＩＢ  ＳＴＤ−Ｔ７９で定められている。
【０００３】
従来のデジタル無線通話装置を図６および図７を用いて説明する。図７は、移動局Ｍ、例えば、移動局Ｍ１が基地局５０１に向けて通話を開始するときの動作フローを示す。移動局Ｍ１が例えば基地局５０１に通話するとき、移動局Ｍ１は、基地局５０１を呼び出すためのダイヤリングあるいはプレスボタンを押す等の発信処理を発信処理部７０１で行い、基地局５０１に対して通話要求を送信する。この通話要求を受けた基地局５０１は、通話要求を受信し、着信処理部７０２で着信処理を行う。着信処理部７０２では、基地局５０１が他の移動局Ｍと通信中でないか、あるいはデジタル無線通話システムに障害がないか等、移動局Ｍ１と通話に入れる状態であることを確認して移動局Ｍ１に対して通話応答を送信する。通話応答を返された移動局Ｍ１は、基地局５０１が通話出来ることを確認処理部７０３で確認処理を行った後、通話７０４に移行する。ここで通話要求や通話応答の信号は、一般的に、他の制御情報や同期ワード等付加した制御チャネルを用いて行われるのが普通である。また、通話路の確立後の通話７０４は、通信チャネルを用いて行われるのが普通である。
【０００４】
次に、通話７０４に移行した後の動作を図６を用いて説明する。図６は、デジタル無線通話装置の概略構成を示すブロック図である。なお、図６に示すデジタル無線通話装置のブロック図は、移動局６０１から基地局６０２への通話を示したもので、基地局６０２から移動局６０１への逆の通話については、移動局６０１から基地局６０２と同様であるので、説明は省略してある。また、一般に、基地局および移動局は、送受信機能を有しているが、説明の都合上、以下の説明では、移動局を送信装置、基地局を受信装置として説明することにする。図６において、６０１は、移動局、６０２は、基地局を示している。移動局６０１は、音声入力端子６０３、バンドパスフィルタ（ＢＰＦ：Ｂａｎｄ  Ｐａｓｓ  Ｆｉｌｔｅｒ）６０４、音声コーデック（低速）部６０５、誤り訂正処理部６０６、チャネルコーデック部６０７、デジタル変調部６０８、高周波処理部６０９、アンテナ６１０から構成されている。
【０００５】
この移動局６０１の動作を説明すると、図７で示す通話７０４が開始されると、移動局６０１では、電気信号に変換された音声信号（マイク等の音声―電気変換装置は、図示せず。）は、音声信号入力端子６０３より入力され、バンドパスフィルタ６０４に与えられる。バンドパスフィルタ６０４に入力された信号は、帯域制限され、音声コーデック（低速）部６０５に印加される。音声コーデック（低速）部６０５では、音声信号をアナログ信号からデジタル信号へと変換され、誤り訂正処理部６０６に与える。誤り訂正処理部６０６では、誤り訂正符号化情報を付加され、チャネルコーデック部６０７に印加される。この誤り訂正処理部６０６では、アンテナからの伝搬状態が悪くデジタル信号に誤りが生じた場合でも、受信側で誤り訂正を行い、送信側で送られたデジタル信号を正しく復元することができる。
【０００６】
チャネルコーデック部６０７では、制御情報、同期ワード等の必要なデータを付加し送信フレームデータ、即ち、上述した通信チャネルが構成される。このデジタル送信フレームデータは、デジタル変調部６０８に印加される。デジタル変調部６０８では、入力された信号についてデジタル変調処理を行い、高周波処理部６０９で高周波に変換され、帯域制限、電力増幅等の処理を行ない、アンテナ６１０から基地局６０２に送信される。
【０００７】
一方、基地局６０２では、移動局６０１からの送信信号がアンテナ６１１によって受信されて、高周波処理部６１２で入力された信号に対して不要成分の除去、周波数変換等を行い、デジタル復調部６１３に与えられる。デジタル復調部６１３では、入力された信号からデータを再生し、チャネルコーデック部６１４に与える。チャネルコーデック部６１４では、制御情報、同期ワード等のデータは、除去され、音声データのみを誤り訂正処理部６１５に与える。誤り訂正処理部６１５では、誤り検出、訂正を行い、送信側で送られたデータに復元し、音声コーデック（低速）部６１６に与えられる。音声コーデック（低速）部６１６では、音声データをアナログ信号に変換し、バンドパスフィルタ６１７に印加し、帯域制限を行い、音声信号出力端子６１８から出力され、スピーカ等（図示せず。）で音声が再生される。
【０００８】
また、誤り訂正符号化された情報の伝送を考慮しない通信システムに対し、その変更を最小限にとどめた上で、誤り訂正符号化されていない情報と誤り訂正符号化された情報の異なる形式のフレームを同時に取り扱うことのできる通信システム（例えば、特許文献１参照。）がある。
【０００９】
【特許文献１】
特開平８−４６５９９号公報（第３頁、図１）
【００１０】
【発明が解決しようとする課題】
前述の従来技術では、送信フレームにデータの誤り訂正のため誤り訂正符号化情報が付加されているので、その分、音声データの情報量が減ることになる。従って、デジタル無線通話装置の音声品質を劣化させる結果となっていた。
【００１１】
本発明の目的は、デジタル無線通信における通話音質を改善できるデジタル無線通話装置を提供することである。
【００１２】
【課題を解決するための手段】
本発明のデジタル無線通話方法は、移動局と基地局とをデジタル無線チャネルで通話するデジタル無線通話方法において、少なくとも上記移動局は、位置検出手段と、位置情報に対する音声データの誤りの有無を表したデータテーブルと、異なるビットレートの第１と第２の音声コーデック部および上記第１と第２の音声コーデック部を切替える第１の切替スイッチ部とを有し、上記位置検出手段の位置情報と上記データテーブルに基づき上記第１の切替スイッチ部を制御し、上記第１と第２の音声コーデック部のいずれか一方を用いて通話するように構成される。
【００１３】
また、本発明のデジタル無線通話方法において、上記第１のコーデック部は、低ビットレートの音声コーデック部であり、上記第２のコーデック部は、高ビットレートの音声コーデック部であり、上記低ビットレートの音声コーデック部の出力に誤り訂正符号情報を付加するように構成される。
【００１４】
また、本発明のデジタル無線通話方法において、上記デジタル無線チャネルは、制御チャンネルと通信チャンネルからなり、上記位置情報に基づく音声データの誤りの有無情報を上記制御チャンネルで伝送するように構成される。
【００１５】
また、本発明のデジタル無線通話方法において、上記基地局は、異なるビットレートの第３と第４の音声コーデック部および上記第３と第４の音声コーデック部を切替える第２の切替スイッチ部および上記制御チャンネルで送られてくる上記位置情報に基づく音声データの誤りの有無情報を検出する音声コーデック選択部とを有し、上記音声コーデック選択部の出力で上記第２の切替スイッチ部を制御するように構成される。
【００１６】
更に、移動局と基地局とをデジタル無線チャネルで通話するデジタル無線通話装置において、少なくとも上記移動局は、位置検出手段と、位置情報に対する音声データの誤りの有無を表したデータテーブルを記憶するデータテーブル記憶部と、異なるビットレートの第１と第２の音声コーデック部および上記位置情報と上記データテーブルに基づいて上記第１と第２の音声コーデック部を切替える第１の切替スイッチ部から構成される。
【００１７】
【発明の実施の形態】
本発明の基本的な原理は、誤りの発生しない通信エリアでは、伝送する音声データに誤り訂正符号化情報を付加せず、高ビットレートの音質の良い音声データを送信することを特徴とする。このような基本的な原理を実現するための方法について、図５を基に詳細に説明する。図５において、基地局５０１の通信エリア５０２の中に通信エリア５０３が示されているが、例えば、移動局Ｍ１が基地局５０１の通信エリア５０３内に位置する時は、基地局５０１と移動局Ｍとは、見通しの良い通信エリアにあり、無線チャネルでの通信に何等の障害も存在しない。しかし、移動局Ｍ１が移動して、基地局５０１の通信エリア５０４内に位置するようになった場合、通信エリア５０４には、基地局５０１と移動局Ｍ１との間の無線チャネルでの通信を妨げる山５０６や高層ビル５０５等の障害物がある場合、移動局Ｍは、基地局５０１に対して見通しの悪い通信エリア５０４に位置することになる。このように見通しの悪い通信エリア５０４に位置する移動局Ｍ１から基地局５０１に無線チャネルでの通信を行なう場合、伝送する音声データに誤り訂正符号化情報を付加しなければならないことは言うまでもない。従って、本発明では、移動局Ｍが基地局５０１の通信エリア５０２の内、通信エリア５０３内に位置するか、通信エリア５０４内に位置するかによって伝送する音声データに誤り訂正符号化情報を付加するか、しないかを切替えるものである。この目的のために本発明では、表１に示すようなデータテーブルを作成し、移動局Ｍまたは基地局５０１のメモリに記録する。
【００１８】
【表１】
2005020666.tif 000003
表１は、例えば、東京都西部地区で行った移動局Ｍの位置とその時の伝送する音声データの誤りを表したデータテーブルである。表１において、移動局Ｍの位置が緯度１３６°０４′、経度２０°２５′で表わされる位置では、音声データの誤りは、なし“１”が示されている。また、移動局Ｍの位置が緯度１３６°０６′、経度２０°２７′で表わされる位置では、音声データの誤りは、あり“０”が示されている。このように移動局と基地局との間での伝送する音声データの誤りを表したデータテーブルを作成し、メモリに記録する。
【００１９】
而して、地域防災無線システム等では、市町村のように無線システムの使用範囲が限定されているので、表１のようなデータテーブルは、例えば地域防災無線システムの設置時に前もって移動局Ｍを実際の地域で移動させ、音声データの誤りの有無を実測して作成することは、容易である。従って、このようなデータテーブルを地域防災無線システムの設置時に前もって作成し、基地局５０１あるいは移動局Ｍあるいは両方のメモリ（例えば、ＲＯＭ）に記憶しておく。
【００２０】
次に、本発明の一実施例を図１および図２を用いて説明する。図１は、本発明の一実施例の概略構成を示すブロック図であり、図２は、基地局と移動局とが通話を開始するときの動作フローを示す図である。図２において、移動局Ｍ、例えば移動局Ｍ１が基地局５０１に向けて通話を開始するものとする。まず、基地局５０１は、移動局Ｍ１に対して誤りの発生しないエリア情報を送出しているもととする。また、移動局Ｍ１は、移動局Ｍ１に設けた車両位置検出装置２０１、例えば、ＧＰＳ（Ｇｌｏｂａｌ  Ｐｏｓｉｔｉｏｎｉｎｇ  Ｓｙｓｔｅｍ）あるいはＡＶＭ（Ａｕｔｏｍａｔｉｃ  Ｖｅｈｉｃｌｅ  Ｍｏｎｉｔｏｒｉｎｇ  ｓｙｓｔｅｍ）等の車両位置検出装置で位置を検出し、現在の車両位置情報を所有している。移動局Ｍ１では、基地局５０１から送られてくる誤りの発生しないエリア情報と移動局Ｍ１が所有している車両位置情報とを移動局に設けた音声コーデック選択処理部２０２において、上述した見通しの良い通信エリア５０３に位置するか、見通しの悪い通信エリア５０４に位置するかを判断する。
【００２１】
音声コーデック選択処理部２０２の判断の結果、見通しの良いエリア内であれば音声コーデック伝送レートは、高速（誤り訂正符号化情報を付加しない場合）を選択し、見通しの悪いエリア内であれば低速（誤り訂正符号化情報を付加する場合）を選択する。音声コーデック伝送レートの高速、低速の選択情報は、移動局の発信処理部２０３において通話要求とともに基地局５０１に送信する。通話要求を受信した基地局５０１では、着信処理部２０４において通話可能状態であれば、音声コーデック選択情報に従い、基地局５０１の音声コーデックを選択した後、通話応答を移動局Ｍ１に送信する。移動局Ｍ１は、通話の確認処理部２０５で確認した後、通話２０６に移行する。
【００２２】
上述の通話要求、通話応答等の通話路の確立は、制御用物理チャネル（制御チャネルとも呼ばれる。）で行われるのが一般的である。一例としてＡＲＩＢ  ＳＴＤ−Ｔ７９で定めている制御用物理チャネルの構成を図４（ａ）に示す。図４（ａ）において、ＬＰは、リニアライザ用プリアンブル、Ｒは、バースト過渡応答用ガード時間、Ｐは、プリアンブル、ＣＡＣは、制御信号、ＳＷは、同期ワード、Ｉは、アイドルビット、ＣＣは、カラーコード、Ｇは、ガード時間である。なお、各ブロックの中に表示されている数字は、ビット数を表し、制御用物理チャネルは、３２０ビットで構成されている。
【００２３】
この制御用物理チャネルを用いて図２に示す音声コーデック伝送レートの高速、低速の選択情報を送る場合、例えば、制御信号ＣＡＣの１７０ビット（ＣＡＣ５８ビットとＣＡＣ１１２ビット）の内の１ビットを用いて伝送する。即ち、音声コーデック伝送レートの高速（誤り訂正符号化情報を付加しない場合）の選択情報は、音声データの誤りなしに対応するので、表１の誤りなし“１”を伝送する。また、音声コーデック伝送レートの低速（誤り訂正符号化情報を付加する場合）の選択情報は、音声データの誤りありに対応するので、表１の誤りあり“０”を伝送する。
【００２４】
次に、移動局Ｍ１と基地局５０１の間で通話路が構成され、通話２０６が開始されると、通信用物理チャネルを用いて通信が行われる。この通信用物理チャネルの構成の一例を図４（ｂ）に示す。図４（ｂ）において、Ｒは、バースト過渡応答用ガード時間、Ｐは、プリアンブル、ＴＣＨは、トラフィックチャネル、ＳＷは、同期ワード、Ｉは、アイドルビット、ＣＣは、カラーコード（干渉対策コード）、ＳＡＣＣＨ（Ｓｌｏｗ  Ａｓｓｏｃｉａｔｅｄ  Ｃｏｎｔｒｏｌ  Ｃｈａｎｎｅｌ）は、低速付随制御チャネルおよびＧは、ガード時間である。なお、各ブロックの中に表示されている数字は、ビット数を表し、通信用物理チャネルは、３２０ビットで構成されている。
【００２５】
この通信用物理チャネルを用いて音声データを送る場合について説明する。音声データは、通信用物理チャネルの例えば、トラフィックチャネルＴＣＨを用いて伝送する。その場合、見通しの良い、誤りのないエリア（誤り訂正符号化情報を付加しない）での音声データの送信には、例えば、６．４Ｋｂｐｓの高ビットレートの符号化データとして、伝送する。一方、見通しの悪い、誤りの発生するエリア（誤り訂正符号化情報を付加する）での音声データの送信には、例えば、３．２Ｋｂｐｓの低ビットレートの符号化データとして、伝送する。上述のように見通しの良い、誤りのないエリア５０３では、誤りの発生するエリア５０４に比べて誤り訂正符号のない、音声データのみを例えば、６．４Ｋｂｐｓの高ビットレートの符号化データとして送ることができるので、極めて音質の良い音声データを送ることが可能となる。
【００２６】
次に、本発明の構成および動作の詳細を図１を用いて説明する。図１において、１０１は、移動局、例えば、移動局Ｍ１、１０２は、基地局である。なお、図１は、移動局１０１から基地局１０２への通話を示したもので、基地局１０２から移動局１０１への逆の通話については、移動局１０１から基地局１０２と同様であるので、説明は省略してある。移動局１０１は、音声入力端子１０３、バンドパスフィルタ（ＢＰＦ：Ｂａｎｄ  Ｐａｓｓ  Ｆｉｌｔｅｒ）１０４、切替スイッチ１０５、１０９、音声ＣＯＤＥＣ（低速）部１０６、音声ＣＯＤＥＣ（高速）部１０７、誤り訂正処理部１０８、チャネルコーデック部１１０、音声ＣＯＤＥＣ選択部１１１、車両位置検出装置１１２、デジタル変調部１１３、高周波処理部１１４およびアンテナ１１５から構成されている。
【００２７】
図２で説明したように移動局１０１（Ｍ１）には、ＧＰＳなどの車両位置検出装置１１２が設けられており、移動局１０１の現在地が認識できる車両位置情報が音声コーデック選択部１１１に送出される。音声コーデック選択部１１１では、車両位置情報を基に表１を参照し、誤りの発生しないエリア内５０３（図５に示す。）であれば切替スイッチ１０５および１０９をＢ側に接続して音声ＣＯＤＥＣ（高速）部１０７を選択する。また、誤りの発生するエリア内５０４（図５に示す。）であれば切替スイッチ１０５および１０９をＡ側に接続して音声ＣＯＤＥＣ（低速）部１０６を選択する。
【００２８】
この音声コーデック選択情報は、移動局１０１からの発信処理（図２における発信処理部２０３の動作）において、チャネルコーデック部１１０で通話要求と共に、図４（ａ）で示される制御用物理チャネルの例えば、制御信号ＣＡＣの１ビットに乗せて、デジタル変調部１１３、高周波処理部１１４、アンテナ１１５を介して基地局１０２に送信される。
【００２９】
基地局１０２では、この制御用物理チャネルをアンテナ１１６、高周波処理部１１７、デジタル復調部１１８を介して受信し、チャネルコーデック部１１９に印加され、着信処理（図２における着信処理部２０４の動作）を行う。チャネルコーデック部１１９では、受信した制御用物理チャネルから通話要求と音声コーデック選択情報を抜き出す。音声コーデック選択情報は、音声ＣＯＤＥＣ選択部１２０に入力される。音声ＣＯＤＥＣ選択部１２０は、受信した音声コーデック選択情報に基づいて切替スイッチ１２１および１２５を切替える。即ち、音声コーデック選択情報が、“１”であれば、切替スイッチ１２１および１２５をＢ側に接続して音声ＣＯＤＥＣ（高速）部１２３を選択する。また、音声コーデック選択情報が、“０”であれば、切替スイッチ１２１および１２５をＡ側に接続して音声ＣＯＤＥＣ（低速）部１２４を選択する。
【００３０】
また、移動局１０１からの通話要求に対して、基地局１０２は、チャネルコーデック部で制御用物理チャネルに通話応答を乗せて、デジタル変調器、高周波処理部およびアンテナを介して移動局１０１に通話応答を送信し、通話路が確立され、通話２０６に移行される。なお、基地局１０２から通話応答を移動局１０１に送信し、通話路を確立する構成は、図１では、省略してある。
【００３１】
図２で示す通話２０６が開始されると、移動局１０１では、電気信号に変換された音声信号（マイク等の音声―電気変換装置は、図示せず。）は、音声信号入力端子１０３より入力され、バンドパスフィルタ１０４に与えられる。バンドパスフィルタ１０４に入力された信号は、帯域制限され、切替スイッチ１０５に印加される。切替スイッチ１０５に印加された信号は、移動局１０１がエリア５０３に位置する時は、高ビットレートの音声ＣＯＤＥＣ（高速）部１０７を介してチャネルコーデック部１１０に印加され、図４（ｂ）に示される通信用物理チャネル（但し、誤り訂正符号のない音声データ）のフレーム構成で、デジタル変調部１１３、高周波処理部１１４およびアンテナ１１５を介して基地局１０２に送信される。
【００３２】
基地局１０２では、アンテナ１１６、高周波処理部１１７、デジタル復調部１１８、チャネルコーデック部１１９、音声ＣＯＤＥＣ（高速）部１２３、バンドパスフィルタ１２６を経由して出力端子１２７から音質の改善された音声信号が出力される。なお、電気信号を音声信号に変換するスピーカは省略してある。
【００３３】
一方、移動局１０１がエリア５０４に位置する時は、音声ＣＯＤＥＣ（低速）部１０６で低ビットレートで符号化され、誤り訂正処理部１０８を介してチャネルコーデック部１１０に印加される。誤り訂正処理部１０８では、誤り訂正符号化情報が付加される。この誤り訂正処理部１０８では、アンテナ１１５からの伝搬状態が悪く、基地局１０２で受信したデジタル信号に誤りが生じた場合でも、受信側で誤り訂正を行い、送信側で送られたデジタル信号を正しく復元することができる。従って、基地局では、この信号を受信すると、チャネルコーデック部１１９から誤り訂正処理部１２２で誤り訂正され、音声ＣＯＤＥＣ（低速）部１２４で復号され、出力端子１２７から音声信号が出力される。
【００３４】
以上説明した一実施例では、移動局Ｍ１から基地局５０１に向けて通話を開始する場合について説明したが、基地局５０１が移動局Ｍ１に向けて通話を開始する場合、基地局５０１は、発信処理部により移動局Ｍ１に通話要求と共に誤りの発生しないエリア情報を送信する。移動局Ｍ１は、基地局５０１からの通話要求と共に誤りの発生しないエリア情報を受け、着信処理部でそのエリア情報と移動局Ｍ１の車両位置情報とを比較、例えば、表１のデータテーブルに基づいて音声コーデック選択処理を実行する。即ち、音声コーデック伝送レートの高速（誤り訂正符号化情報を付加しない場合）の選択情報は、音声データの誤りなしに対応するので、表１の誤りなし“１”を、また、音声コーデック伝送レートの低速（誤り訂正符号化情報を付加する場合）の選択情報は、音声データの誤りありに対応するので、表１の誤りあり“０”をそれぞれ通話応答とともに基地局５０１に送信する。選択情報を受信した基地局５０１は、選択情報に従い、音声コーデック選択後、通話に移行する。
【００３５】
次に、本発明の第２の実施例を図３を用いて説明する。図３は、移動局が基地局に向けて通話を開始する他の一実施例の動作フローを示す図である。移動局Ｍ１は、車両位置検出装置３０１から車両位置情報を得て、発信処理部３０２において基地局５０１に対し通話要求と共に車両位置情報を送信する。通話要求と車両位置情報を受信した基地局５０１は、着信処理部３０３で着信処理を行なう。即ち、通話可能状態であれば、着信処理部３０３で移動局Ｍ１の車両位置情報と誤りの発生しないエリア情報、例えば、基地局５０１のＲＯＭに記憶されているデータテーブル（表１に示す。）とを参照する。参照の結果、見通しの良いエリア５０３／見通しの悪いエリア５０４かを判断し、エリア５０３内であれば音声コーデック伝送レートの高速を選択し、エリア５０４内であれば低速を選択する。所謂、音声コーデック選択処理を行なう。この選択情報は、通話応答とともに移動局Ｍ１に送信し、移動局Ｍ１では通話の確認処理を行なう。移動局Ｍ１では、この選択情報に基づき音声コーデックを選択処理した後、通話３０５に移行する。通話３０５に移行した後は、前記第１の実施例と同様の動作が行われるので、ここでは説明を省略する。
【００３６】
以上説明したように第１の実施例では、移動局Ｍが見通しの良いエリアか、悪いエリアかを判断しているが、第２の実施例では、基地局５０１がこれを判断している例である。いずれの場合も本発明は容易に実施できることは言うまでもない。
【００３７】
以上、本発明について詳細に説明したが、本発明は、ここに記載されたデジタル無線通話方法およびデジタル無線通話装置に限定されるものではなく、上記以外のデジタル無線通話方法およびデジタル無線通話装置に広く適応することが出来ることは、言うまでも無い。
【００３８】
【発明の効果】
以上詳述したように、本発明によれば、移動局が誤りの発生しないエリア内で通話をする場合、音声コーデックの伝送レートを高速化することができるので、音声の品質を向上させることができる。
【図面の簡単な説明】
【図１】本発明の一実施例の概略構成を示すブロック図である。
【図２】本発明の一実施例の動作フローを説明する図である。
【図３】本発明の他の一実施例の動作フローを説明する図である。
【図４】本発明で使用する伝送フレーム構成の一実施例を示す図である。
【図５】本発明の原理を説明するための図である。
【図６】従来のデジタル無線通話装置の一例を示すブロック図である。
【図７】図６で示すデジタル無線通話装置の動作フローを説明する図である。
【符号の説明】
１０１：移動局、１０２：基地局、１０３：音声信号入力端子、１０４、１２６：バンドパスフィルタ、１０５、１０９、１２１、１２５：切替スイッチ、１０６、１２４：音声ＣＯＤＥＣ（低速）部、１０７、１２３：音声ＣＯＤＥＣ（高速）部、１０８、１２２：誤り訂正処理部、１１０、１１９：チャネルコーデック部、１１１、１２０：音声ＣＯＤＥＣ選択部、１１２：車両位置検出装置、１１３：デジタル変調部、１１４、１１７：高周波処理部、１１５、１１６：アンテナ、１１８：デジタル復調部、１２７：音声信号出力端子、Ｍ１、Ｍ２、・・Ｍｎ：移動局、５０１：基地局、５０２：通信エリア、５０３：見通しの良い通信エリア、５０４：見通しの悪い通信エリア。
【図１】
2005020666.tif 000004
【図２】
2005020666.tif 000005
【図３】
2005020666.tif 000006
【図４】
2005020666.tif 000007
【図５】
2005020666.tif 000008
【図６】
2005020666.tif 000009
【図７】
2005020666.tif 000010